(57)【要約】【課題】式場サーバへのアクセス数を増加させ、式場の宣伝を効果的に行うと共に、式場業者による婚礼情報の使用を可能にする情報閲覧方法及び情報閲覧システムを提供する。【解決手段】サービスサーバ２０は、婚礼情報又は婚礼情報に対応する式場に関する式場情報の閲覧要求を通信装置２８で受付け、受付けた閲覧要求に応じた婚礼情報又は式場情報をＣＰＵ２２で取得し、取得した婚礼情報又は式場情報を通信装置２８から送信する。また、ＨＰサーバ３０は、式場情報の何れかに関連付けされた送信情報の閲覧要求を通信装置３８で受付け、受付けた閲覧要求に応じた送信情報をＣＰＵ３２で取得し、取得した送信情報を通信装置３８から送信する。端末装置１０は、ＨＰサーバ３０にアクセスして、式場情報に関連付けされた送信情報を閲覧した後に、サービスサーバ２０にアクセスして式場情報及び婚礼情報を閲覧する。【選択図】        図１
2004206313.tif 000002
【特許請求の範囲】
【請求項１】
既に行われた複数の婚礼の夫々に関する複数の婚礼情報、及び、各婚礼情報に対応する複数の式場の夫々に関する複数の式場情報を送信する送信サーバと、各式場情報の何れかに関連付けされた送信情報を送信する複数の式場サーバと、送信サーバ及び式場サーバにアクセスして婚礼情報、式場情報及び送信情報を閲覧するクライアント装置とを用いた情報閲覧方法であって、
クライアント装置から式場サーバに、送信情報の閲覧を要求するステップと、
閲覧を要求された送信情報を前記式場サーバに取得させるステップと、
取得した送信情報を前記式場サーバから前記クライアント装置に送信するステップと、
前記式場サーバから送信された送信情報に関連付けされた式場情報の閲覧を、前記クライアント装置から送信サーバに要求するステップと、
閲覧を要求された式場情報を送信サーバに取得させるステップと、
取得した式場情報を送信サーバから前記クライアント装置に送信するステップと、
前記送信サーバから送信された式場情報に対応する婚礼情報の閲覧を、前記クライアント装置から送信サーバに要求するステップと、
閲覧を要求された婚礼情報を送信サーバに取得させるステップと、
取得した婚礼情報を送信サーバから前記クライアント装置に送信するステップと
を有することを特徴とする情報閲覧方法。
【請求項２】
クライアント装置と、該クライアント装置からの既に行われた複数の婚礼の夫々に関する複数の婚礼情報の何れかの閲覧要求を第１受付手段で受付け、該第１受付手段で受付けた閲覧要求に応じた婚礼情報を取得して、第１送信手段から前記クライアント装置に送信する送信サーバとを備えた情報閲覧システムにおいて、
前記第１受付手段は、各婚礼情報に対応する複数の式場の夫々に関する複数の式場情報の何れかの閲覧要求を受付けるように構成されており、
前記送信サーバは、第１受付手段で受付けた閲覧要求に応じた式場情報を取得する式場情報取得手段を備え、
前記第１送信手段は、式場情報取得手段で取得した式場情報を送信するように構成されており、
各式場情報の何れかに関連付けされた送信情報の閲覧要求を受付ける第２受付手段と、該第２受付手段で受付けた閲覧要求に応じた送信情報を取得する送信情報取得手段と、該送信情報取得手段で取得した送信情報を送信する第２送信手段とを有する複数の式場サーバを備え、
前記クライアント装置は、式場情報に関連付けされた送信情報の閲覧を式場サーバに要求し、前記式場情報の閲覧を送信サーバに要求し、前記式場情報に対応する婚礼情報の閲覧を送信サーバに要求するように構成されていることを特徴とする情報閲覧システム。
【請求項３】
式場業者が使用する式場業者クライアント装置を備え、
前記第１受付手段は、式場業者クライアント装置から式場情報の更新を受付けるように構成されており、
前記送信サーバは、式場情報を更新する更新手段を備えることを特徴とする請求項２記載の情報閲覧システム。
【請求項４】
前記第１受付手段は、前記式場業者クライアント装置から婚礼情報の更新を受付けるように構成されており、
前記送信サーバは、婚礼情報を更新する更新手段を備えることを特徴とする請求項２又は３記載の情報閲覧システム。
【請求項５】
前記婚礼情報は、婚礼を撮影した動画データを含むことを特徴とする請求項２〜４の何れかに記載の情報閲覧システム。
【発明の詳細な説明】
【０００１】
【発明の属する技術分野】
本発明は、クライアント装置と、既に行われた婚礼に関する婚礼情報の閲覧要求を前記クライアント装置から受付け、受付けた閲覧要求に応じた婚礼情報を取得して前記クライアント装置に送信する送信サーバを備えた情報閲覧方法及び情報閲覧システムに関する。
【０００２】
【従来の技術】
結婚式又は披露宴などの婚礼の様子をカメラで撮影したり、ビデオで撮影することが従来から行われている。また、近年では、インターネットなどの通信ネットワークを使用して、婚礼を撮影した動画データを即時的に送信することが行われている（例えば、特許文献１参照）。また、婚礼を撮影した画像データ又は動画データなどを含む新郎新婦ページを送信するサービスサーバに端末装置からアクセスして、新郎新婦ページを閲覧することが行われている。
【０００３】
図１５に、端末装置（クライアント装置）１０からサービスサーバ（送信サーバ）２にアクセスして新郎新婦ページ（婚礼情報）を閲覧する情報閲覧システムの例を示す。図１５の例では、婚礼を行った新郎新婦が、婚礼の様子を撮影した画像データ又は動画データなどをアップロードする際に使用する新郎新婦端末４と、新郎新婦端末４からアップロードされた画像データ又は動画データなどを含む新郎新婦ページを送信するサービスサーバ２と、サービスサーバ２にアクセスして新郎新婦ページを閲覧する端末装置１０とが、インターネットなどの通信ネットワーク１４に接続されている。
【０００４】
【特許文献１】
特開２００１−３１９０００号公報
【０００５】
【発明が解決しようとする課題】
サービスサーバ２を運営するサービス業者は、婚礼を行った式場を運営する式場業者とは別の業者であり、上述した情報閲覧システムは、新郎新婦とサービス業者との間で契約又はデータのやりとりが行われる。婚礼を撮影した画像データ又は動画データは、式場業者にとっては、自身の運営する式場で過去に行われた婚礼の様子を記録したものであり、例えば新規客へのプレゼンテーションに使用できるなど、有益なデータである。しかし、婚礼を撮影した画像データ又は動画データは、新郎新婦からサービス業者のサービスサーバ２にアップロードされており、式場業者は、婚礼を撮影した画像データ又は動画データを使用できずにいる。また、サービスサーバ２が送信する情報は、新郎新婦の情報が中心であり、婚礼を行った式場に関する情報（式場情報）は殆ど送信されておらず、式場をアピールすることは困難である。式場業者がサービスサーバ２を運営することも考えられるが、サーバの運営には専門知識が必要になるなど、実現は困難である。
【０００６】
また、例えば式場がホテルの場合、式場業者はホテルのホームページ（送信情報）をプロバイダなどのサーバ（式場サーバ）から送信し、例えば宿泊予約などを行っている場合が多い。ホームページには、婚礼の式場に関する式場ホームページも含まれるが、一般的に、ホテルは宿泊が主であり、式場ホームページへのアクセスは、比較的少ない傾向にある。式場ホームページを公開していても、式場を効果的に宣伝できていない場合が多い。
【０００７】
本発明は斯かる事情に鑑みてなされたものであり、送信サーバが送信する式場情報に関連付け（リンク付け）された送信情報を式場サーバから送信することにより、式場サーバへのアクセス数を増加させ、式場の宣伝を効果的に行うことが可能な情報閲覧方法及び情報閲覧システムを提供することを目的とする。
【０００８】
また、本発明は、婚礼情報の登録、更新又は削除を式場業者が使用する式場業者クライアント装置で行うことにより、式場業者による婚礼情報の使用を可能にする情報閲覧システムを提供することを他の目的とする。
【０００９】
【課題を解決するための手段】
第１発明に係る情報閲覧方法は、既に行われた複数の婚礼の夫々に関する複数の婚礼情報、及び、各婚礼情報に対応する複数の式場の夫々に関する複数の式場情報を送信する送信サーバと、各式場情報の何れかに関連付けされた送信情報を送信する複数の式場サーバと、送信サーバ及び式場サーバにアクセスして婚礼情報、式場情報及び送信情報を閲覧するクライアント装置とを用いた情報閲覧方法であって、クライアント装置から式場サーバに、送信情報の閲覧を要求するステップと、閲覧を要求された送信情報を前記式場サーバに取得させるステップと、取得した送信情報を前記式場サーバから前記クライアント装置に送信するステップと、前記式場サーバから送信された送信情報に関連付けされた式場情報の閲覧を、前記クライアント装置から送信サーバに要求するステップと、閲覧を要求された式場情報を送信サーバに取得させるステップと、取得した式場情報を送信サーバから前記クライアント装置に送信するステップと、前記送信サーバから送信された式場情報に対応する婚礼情報の閲覧を、前記クライアント装置から送信サーバに要求するステップと、閲覧を要求された婚礼情報を送信サーバに取得させるステップと、取得した婚礼情報を送信サーバから前記クライアント装置に送信するステップとを有することを特徴とする。
【００１０】
第２発明に係る情報閲覧システムは、クライアント装置と、該クライアント装置からの既に行われた複数の婚礼の夫々に関する複数の婚礼情報の何れかの閲覧要求を第１受付手段で受付け、該第１受付手段で受付けた閲覧要求に応じた婚礼情報を取得して、第１送信手段から前記クライアント装置に送信する送信サーバとを備えた情報閲覧システムにおいて、前記第１受付手段は、各婚礼情報に対応する複数の式場の夫々に関する複数の式場情報の何れかの閲覧要求を受付けるように構成されており、前記送信サーバは、第１受付手段で受付けた閲覧要求に応じた式場情報を取得する式場情報取得手段を備え、前記第１送信手段は、式場情報取得手段で取得した式場情報を送信するように構成されており、各式場情報の何れかに関連付けされた送信情報の閲覧要求を受付ける第２受付手段と、該第２受付手段で受付けた閲覧要求に応じた送信情報を取得する送信情報取得手段と、該送信情報取得手段で取得した送信情報を送信する第２送信手段とを有する複数の式場サーバを備え、前記クライアント装置は、式場情報に関連付けされた送信情報の閲覧を式場サーバに要求し、前記式場情報の閲覧を送信サーバに要求し、前記式場情報に対応する婚礼情報の閲覧を送信サーバに要求するように構成されていることを特徴とする。
【００１１】
第３発明に係る情報閲覧システムは、第２発明において、式場業者が使用する式場業者クライアント装置を備え、前記第１受付手段は、式場業者クライアント装置から式場情報の更新を受付けるように構成されており、前記送信サーバは、式場情報を更新する更新手段を備えることを特徴とする。
【００１２】
第４発明に係る情報閲覧システムは、第２又は第３発明において、前記第１受付手段は、前記式場業者クライアント装置から婚礼情報の更新を受付けるように構成されており、前記送信サーバは、婚礼情報を更新する更新手段を備えることを特徴とする。
【００１３】
第５発明に係る情報閲覧システムは、第２〜第４発明の何れかにおいて、前記婚礼情報は、婚礼を撮影した動画データを含むことを特徴とする。
【００１４】
第１，第２又は第５発明においては、送信サーバは、クライアント装置からの閲覧要求を第１受付手段で受付け、受付けた閲覧要求に応じて、婚礼が行われた式場に関する式場情報、又は、各式場で行われた婚礼に関する婚礼情報を取得手段（式場情報取得手段）で取得し、第１送信手段から前記クライアント装置に送信する。婚礼情報は、例えば新郎新婦の写真、新郎新婦の紹介文、婚礼を撮影した画像及び動画などを含む。式場情報は、例えば式場の紹介文、式場の写真、及び婚礼を行った新郎新婦一覧などを含む。婚礼情報は、例えば式場情報の新郎新婦一覧内の対応する新郎新婦に関連付け（リンク付け）されており、式場情報の新郎新婦一覧から各新郎新婦の婚礼情報に移動（ジャンプ）することが可能である。式場情報及び婚礼情報は、送信サーバの記憶装置に記憶して、前記記憶装置から取得したり、送信サーバと接続された他のサーバに記憶して、前記サーバから取得することが可能である。
【００１５】
また、式場サーバは、送信サーバが送信する式場情報にリンク付けされた送信情報のクライアント装置からの閲覧要求を第２受付手段で受付け、受付けた閲覧要求に応じた送信情報を送信情報取得手段で取得し、第２送信手段から前記クライアント装置に送信する。式場サーバは、送信情報として、例えば式場を運営する式場業者のホームページ（式場ホームページ）を送信し、例えば、運営する式場に対応する式場情報を式場ホームページ内の任意ページにリンク付けしておく。送信情報は、式場サーバの記憶装置に記憶して、前記記憶装置から取得したり、式場サーバと接続された他のサーバに記憶して、前記サーバから取得することが可能である。クライアント装置から送信サーバの婚礼情報へのアクセスは、式場ホームページ（式場サーバ）にアクセスし、前記式場ホームページ内のリンクから式場情報（送信サーバ）にアクセスすることで実現される。
【００１６】
第３又は第４発明においては、送信サーバは、第１受付手段により、式場を運営する式場業者が使用する式場業者クライアント装置から式場情報の更新を受付け、更新手段で式場情報を更新する。また、送信サーバは、第１受付手段で婚礼情報の更新（登録又は削除を含む）を式場業者クライアント装置から受付け、更新手段で婚礼情報を更新する。例えば、式場業者クライアント装置から、新郎新婦の紹介文、婚礼を撮影した画像データ又は動画データなどの登録を受付ける。また、例えば婚礼を撮影した動画は、式場業者から送信サーバを運営するサービス業者にビデオカセットを郵送し、サービス業者側で動画データを作成及び登録することも可能である。式場情報の管理に加えて、婚礼情報の管理も式場業者が行う。式場業者は、例えば婚礼を撮影した画像データをプレゼンテーションに使用するなど、婚礼情報をある程度自由に使用することが可能である。
【００１７】
【発明の実施の形態】
以下、本発明をその実施の形態を示す図面に基づいて具体的に説明する。
図１に、本発明に係る情報閲覧システムの例を示す。情報閲覧システムは、婚礼が行われた式場のホームページ（送信情報）を送信するＨＰサーバ（式場サーバ）３０と、既に行われた婚礼に関する婚礼情報及び婚礼が行われた式場に関する式場情報を送信するサービスサーバ（送信サーバ）２０と、婚礼情報の閲覧に用いる端末装置（クライアント装置）１０とを備える。端末装置１０、ＨＰサーバ３０、及びサービスサーバ２０は、インターネットなどの通信ネットワーク１４に接続されている。通信ネットワーク１４には、式場業者が使用する式場業者端末（式場業者クライアント装置）１６が接続されている。
【００１８】
サービスサーバ２０は、プログラム又はデータなどが記憶されるハードディスク２６、プログラム又はデータなどが一時的に記憶されるＲＡＭ（Random Access Memory）２４、プログラムの実行又はデータの処理などを行うＣＰＵ（Central Processing Unit）２２、及び通信ネットワーク１４との通信制御を行う通信装置２８などを備える。また、サービスサーバ２０は、図示していないが、キーボード又はマウスなどの入力装置、ディスプレイ又はプリンタなどの出力装置、及び、ＣＤ−ＲＯＭ（Conpact Disk - Read Only Memory）ドライブなどの外部記憶装置などを備える。
【００１９】
サービスサーバ２０のハードディスク２６には、式場業者に関する式場業者情報、新郎新婦に関する新郎新婦情報、及び後述する新郎新婦ページのアクセス回数などを含む管理情報などの各種情報と、婚礼が行われた式場に関する式場業者ページ（式場情報）、既に行われた婚礼に関する新郎新婦ページ（婚礼情報）、式場業者情報の更新に用いる更新ページ、及び新郎新婦情報の更新に用いる更新ページなどの各種ウェブページと、ウェブページを構成する画像データ又は動画データなどの各種データとが記憶されている。
【００２０】
ＨＰサーバ３０、端末装置１０、及び式場業者端末１６の構成は、サービスサーバ２０とほぼ同様であり、ＣＰＵ，ＲＡＭ，ハードディスク，入力装置，出力装置，及び通信装置などを備える。ＨＰサーバ３０のハードディスク３６には式場業者のホームページを構成するウェブページが記憶されている。例えば、式場業者がホテル業者の場合は、ホテルのホームページを構成するウェブページが記憶されている。
【００２１】
式場業者情報の例を図２（ａ）に示す。式場業者情報は、各式場業者の登録番号、業者名、住所、電話番号、ＦＡＸ番号、担当部署名、担当者名、担当者連絡先、ホームページのＵＲＬ、表示データ、ユーザＩＤ、パスワード、登録日などの情報を含む。式場業者情報の「表示データ」フィールドには、サービスサーバ２０で公開される式場業者ページに表示する文字又は画像などのデータ又はデータのファイル名が登録される。
【００２２】
新郎新婦情報の例を図２（ｂ）に示す。新郎新婦情報は、各新郎新婦の登録番号、登録日、結婚記念日、新郎名、新郎の旧姓（新郎の姓が変わった場合）、新婦名、新婦の旧姓（新婦の姓が変わった場合）、住所、電話番号、式場名、表示データ、非公開フラグ、ユーザＩＤ、パスワードなどの情報を含む。新郎新婦情報の「表示データ」フィールドには、サービスサーバ２０で公開される新郎新婦ページに表示する文字又は画像などのデータ又はデータのファイル名が登録され、「非公開フラグ」フィールドには、新郎新婦ページを制限無しに公開する（公開）か、認証を行うなど公開に制限を加える（非公開）かの区別が登録される。
【００２３】
式場業者ページの例を図３に示す。式場業者ページは、例えば、式場の簡単な紹介欄、最近結婚式を行った新郎新婦のリンク付きリスト欄（新着ページ欄）４２、および新郎新婦の検索用入力欄４４，４６などを含む。新着ページ欄４２は、最近結婚式を行った例えば１０組の新郎新婦の結婚記念日、新郎新婦名（新郎又は新婦の何れかは旧姓）、及び公開／非公開の区別が表示される。新着ページ欄４２の各行は、夫々対応する新郎新婦ページに関連付け（リンク付け）されている。
【００２４】
また、検索用入力欄４４，４６は、例えば結婚記念日の入力欄４４及び新郎新婦名の入力欄４６などを備え、検索ボタン４８をクリックすることで新郎新婦の検索が行われる。検索結果は、新着ホームページ欄４２と同様の形式で、検索用入力欄４４，４６及び検索ボタン４８表示部分に切換表示される。検索用入力欄４４，４６は全て入力する必要は無く、例えば結婚記念日の年及び月と新郎名とを入力して検索を行うことも可能である。
【００２５】
新郎新婦ページの例を図４に示す。新郎新婦ページは、例えば、結婚式の写真画像、挨拶文、新郎新婦のプロフィールが記載されたプロフィールページにリンク付けされたプロフィールボタン５２、結婚式で撮影した写真の画像データを表示するフォトアルバムページにリンク付けされたフォトアルバムボタン５４、および結婚式で撮影したビデオの動画データにリンク付けされたビデオボタン５６などを備える。プロフィールページ、フォトアルバムページ、画像データ及び動画データなどの各種データは、サービスサーバ２０のハードディスク２６に記憶されている。
【００２６】
サービスサーバ２０は、各ページへのアクセス要求又は検索キーワードを通信装置（第１受付手段）２８で受付けた場合、ＣＰＵ（取得手段（式場情報取得手段））２２により、前記受付けたアクセス要求又は検索キーワードに応じたページ又は検索結果をハードディスク２６から取得して、通信装置（第１送信手段）２８から送信する。また、サービスサーバ２０は、式場業者情報又は新郎新婦情報の更新要求などを通信装置２８で受付けた場合、ＣＰＵ（更新手段）２２により、前記受付けた更新要求に応じて、ハードディスク２６の式場業者情報又は新郎新婦情報を更新する。
【００２７】
また、ＨＰサーバ３０に記憶されている式場業者のウェブページの例を図５に示す。ウェブページは、例えば、式場の情報に加えて、サービスサーバ２０の式場業者ページ（図３）にリンク付けされたバナー（画像）５８が設けられている。例えば、ホテルの場合は、婚礼に関するウェブページ（式場ホームページ）に加えて、宿泊に関するウェブページ又はホテル内のレストランなどに関するウェブページを有する場合が多いが、バナー５８は、式場ホームページに限らず、任意のウェブページに設けることが可能である。以下、バナーが設けられたウェブページを、バナーページと呼ぶ。
【００２８】
ＨＰサーバ３０は、各ウェブページへのアクセス要求を通信装置（第２受付手段）３８で受付けた場合、ＣＰＵ（取得手段（送信情報取得手段））３２により、前記受付けたアクセス要求に応じたウェブページをハードディスク３６から取得して、通信装置（第２送信手段）３８から送信する。
【００２９】
次に、本発明に係る情報閲覧システムを用いた新郎新婦ページの閲覧について説明する。
新郎新婦ページの表示手順の例を図６及び図７に示す。まず、端末装置１０からＨＰサーバ３０（式場業者のホームページ）にアクセスする（Ｓ１０）。例えばトップページにアクセスする。ＨＰサーバ３０のＣＰＵ３２は、端末装置１０からのアクセス要求に応じて、例えばトップページなどのアクセス先のウェブページをハードディスク３６から読出して、通信装置３８から送信する（Ｓ１２）。端末装置１０はＨＰサーバ３０から受取ったウェブページをディスプレイに表示する（Ｓ１４）。
【００３０】
端末装置１０が例えば婚礼に関するウェブページなどのバナーページにアクセスする（Ｓ１６）ことにより、ＨＰサーバ３０のＣＰＵ３２は、通信装置３８で受付けたアクセス要求に応じたバナーページをハードディスク３６から読出して、通信装置３８から端末装置１０に送信する（Ｓ１８）。端末装置１０はＨＰサーバ３０から受取ったバナーページをディスプレイに表示する（Ｓ２０）。例えば図５に示したバナーページが表示される。
【００３１】
バナーページに設けられたバナー５８が端末装置１０のマウスでクリックされる（Ｓ２２）ことにより、端末装置１０からサービスサーバ２０に、バナー５８にリンク付けされた式場業者ページのアクセス要求が送信される。サービスサーバ２０のＣＰＵ２２は、通信装置２８で受付けたアクセス要求に応じた式場業者ページをハードディスク２６から読出して、通信装置２８から端末装置１０に送信する（Ｓ２４）。端末装置１０はサービスサーバ２０から受取った式場業者ページをディスプレイに表示する（Ｓ２６）。例えば図３に示した式場業者ページが表示される。また、サービスサーバ２０のＣＰＵ２２は、式場業者ページのアクセス回数などの管理情報を更新する。
【００３２】
図３に示す式場業者ページの検索用入力欄４４，４６に端末装置１０のキーボードからキーワードが入力され、検索ボタン４８がマウスでクリックされた場合、入力されたキーワード及び検索要求が端末装置１０からサービスサーバ２０に送信され、サービスサーバ２０のＣＰＵ２２は、ハードディスク２６にアクセスして、通信装置２８で受付けたキーワードに該当する新郎新婦の検索結果を取得し、通信装置２８から端末装置１０に送信する。端末装置１０のディスプレイに表示された新着ホームページ欄４２又は検索結果の中から新郎新婦ページが選択（マウスでクリック）された場合、選択した新郎新婦ページのアクセス要求が端末装置１０からサービスサーバ２０に送信される（図７のＳ３０）。
【００３３】
サービスサーバ２０のＣＰＵ２２は、新郎新婦情報に基づいて、アクセス先の新郎新婦ページが公開又は非公開であることを取得する。アクセス先の新郎新婦ページが公開（Ｓ３２：ＮＯ）の場合、サービスサーバ２０のＣＰＵ２２は、アクセス先の新郎新婦ページをハードディスク２６から読出して、通信装置２８から送信する（Ｓ４０）。また、アクセス先の新郎新婦ページが非公開（Ｓ３２：ＹＥＳ）の場合、サービスサーバ２０は、認証ページをハードディスク２６から読出して、通信装置２８から送信する（Ｓ３４）。認証ページの例を図８に示す。認証ページは、例えば、ユーザＩＤ及びパスワードの入力欄６２と、ログインボタン６４とを備え、ハードディスク２６に記憶されている。
【００３４】
端末装置１０は、サービスサーバ２０から受取った認証ページをディスプレイに表示し、ユーザＩＤ及びパスワードの入力を受付ける。ログインボタン６４が端末装置１０のマウスでクリックされた場合、端末装置１０からサービスサーバ２０に、入力されたユーザＩＤ及びパスワードが送信される（Ｓ３６）。サービスサーバ２０のＣＰＵ２２は、新郎新婦情報に基づいて、認証を行う。認証が完了した場合（Ｓ３８：ＹＥＳ）、サービスサーバ２０のＣＰＵ２２は、要求された新郎新婦ページをハードディスク２６から読出して通信装置２８から送信する（Ｓ４０）。また、サービスサーバ２０のＣＰＵ２２は、新郎新婦ページのアクセス回数などの管理情報を更新する。認証が失敗した場合（Ｓ３８：ＮＯ）、サービスサーバ２０から認証ページを再度送信する（Ｓ３４）。
【００３５】
端末装置１０は、サービスサーバ２０から受取った新郎新婦ページをディスプレイに表示する（Ｓ４２）。例えば、図４に示した新郎新婦ページを表示する。プロフィールボタン５２、フォトアルバムボタン５４、又はビデオボタン５６が端末装置１０のマウスでクリックされた場合、プロフィールページ、フォトアルバムページ、又は動画データの送信要求が端末装置１０からサービスサーバ２０に送信され、サービスサーバ２０のＣＰＵ２２は、送信要求に応じたプロフィールページ、フォトアルバムページ、又は動画データをハードディスク２６から読出して、通信装置２８から端末装置１０に送信する。
【００３６】
以上説明したように、新郎新婦ページの閲覧は、式場業者のホームページにアクセスし、バナーページのバナー５８をクリックすることで行える。
【００３７】
式場業者ページの更新と新郎新婦ページの登録又は更新・削除とは、式場業者が行う。例えば通信ネットワーク１４に接続された式場業者端末１６を用いて、式場業者ページの更新及び新郎新婦ページの登録又は更新・削除を行うことが可能である。
【００３８】
式場業者ページの更新手順及び新郎新婦ページの登録又は更新・削除手順の例を図９に示す。式場業者端末１６からサービスサーバ２０に管理ページのアクセス要求を送信する（Ｓ５０）。サービスサーバ２０のＣＰＵ２２は、アクセス要求に応じて、認証ページを送信する（Ｓ５２）。認証ページは、例えば図８と同様に、ユーザＩＤ及びパスワードの入力欄と、ログインボタンとを備える。式場業者端末１６は、認証ページをディスプレイに表示し、ユーザＩＤ及びパスワードの入力を受付ける。ログインボタンが式場業者端末１６のマウスでクリックされた場合、式場業者端末１６からサービスサーバ２０に、ユーザＩＤ及びパスワードが送信される（Ｓ５４）。サービスサーバ２０のＣＰＵ２２は、式場業者情報に基づいて、認証を行う。認証が完了した場合（Ｓ５６：ＹＥＳ）、サービスサーバ２０のＣＰＵ２２は、ハードディスク２６から管理ページを読出して、通信装置２８から送信する（Ｓ５８）。認証が失敗した場合（Ｓ５６：ＮＯ）、サービスサーバ２０から認証ページを再度送信する（Ｓ５２）。
【００３９】
式場業者端末１６は、受取った管理ページをディスプレイに表示する（Ｓ６０）。管理ページの例を図１０に示す。管理ページは、例えば、管理情報の表示欄７２、式場業者情報の更新ボタン７４、新郎新婦ページの作成ボタン７６、及び新郎新婦ページの更新・削除ボタン７８を備え、サービスサーバ２０のハードディスク２６に記憶されている。管理情報は、例えば、バナーのクリック回数、新郎新婦ページのアクセス回数、登録ページ数、公開ページ数、非公開ページ数などの情報を含む。更新ボタン７４、作成ボタン７６、又は更新・削除ボタン７８が式場業者端末１６のマウスでクリックされた場合、式場業者情報の更新ページ、新郎新婦ページの作成ページ、又は新郎新婦ページの更新・削除ページの送信要求が式場業者端末１６からサービスサーバ２０に送信され、サービスサーバ２０のＣＰＵ２２は、通信装置２８が式場業者端末１６から受付けた送信要求に応じた更新ページ、作成ページ、又は更新・削除ページをハードディスク２６から読出して、通信装置２８から式場業者端末１６に送信する。
【００４０】
式場業者情報の更新ページの例を図１１に示す。式場業者情報の更新ページは、式場業者情報の表示及び更新欄８２と、更新ボタン８４と、キャンセルボタン８６とを含み、サービスサーバ２０のハードディスク２６に記憶される。新郎新婦情報の更新ページの例を図１２に示す。新郎新婦情報の更新ページは、新郎新婦情報の表示及び更新欄９２と、更新ボタン９４と、キャンセルボタン９６とを含み、ハードディスク２６に記憶される。更新対象の新郎新婦情報の更新ページは、例えば図３に示した新郎新婦ページの検索と同様にして、検索することが可能である。
【００４１】
新郎新婦の作成ページの例を図１３及び図１４に示す。作成する新郎新婦ページは、例えば、幾つかのパターンの中から選択することが可能である。図１３に示す作成ページ（パターン選択ページ）は、パターン１〜５の何れかを選択するラジオボタン１０２、各パターンのサンプルページを表示する表示ボタン１０８、決定ボタン１０４、及びキャンセルボタン１０６などを備え、ハードディスク２６に記憶されている。決定ボタン１０４が式場業者端末１６のマウスでクリックされた場合、ラジオボタン１０２で選択されたパターンに決定される。パターンの選択後、図１４に示す新郎新婦情報の作成ページが表示される。作成ページは、新郎新婦情報の入力欄１１２と、登録ボタン１１４と、キャンセルボタン１１６とを含み、ハードディスク２６に記憶されている。
【００４２】
更新ボタン８４、９４又は登録ボタン１１４などが式場業者端末１６のマウスでクリックされた場合、入力又は更新されたデータが式場業者端末１６からサービスサーバ２０に送信され、サービスサーバ２０のＣＰＵ２２は、通信装置２８で受付けた更新データ又は登録データに基づいて、ハードディスク２６に記憶されている式場業者情報、新郎新婦情報、式場業者ページ、又は新郎新婦ページを更新（登録又は削除）する。
【００４３】
上述した実施の形態においては、式場業者情報、新郎新婦情報、式場業者ページ、又は新郎新婦ページなどの各種情報を、サービスサーバ２０のハードディスク２６に記憶したが、例えば婚礼を撮影した動画データを通信ネットワーク１４に接続された他のサーバに接続するなど、サービスサーバ２０のハードディスク２６に記憶されている情報の一部を他のサーバに記憶し、ＣＰＵ２２及び通信装置２８により、必要な情報を前記他のサーバから取得することも可能である。
【００４４】
【発明の効果】
第１，第２又は第５発明によれば、送信サーバが送信する式場情報に関連付け（リンク付け）された送信情報を式場サーバから送信することにより、式場サーバの前記送信情報にクライアント装置からアクセスした後に、送信サーバの式場情報及び婚礼情報へのアクセスが行われる。例えば、式場サーバから、前記式場情報にリンク付けされた式場ホームページを送信することにより、クライアント装置は、式場ホームページにアクセスした後に式場情報及び婚礼情報を閲覧するため、式場ホームページへのアクセス数を増加させ、式場の宣伝を効果的に行うことが可能になる。
【００４５】
第３又は第４発明によれば、送信サーバは、第１受付手段で式場情報又は婚礼情報の更新、または、婚礼情報の登録又は削除を、式場業者が使用する式場業者クライアント装置から受付ける。婚礼情報の管理は式場業者によって行われているため、式場業者は、例えば婚礼を撮影した画像データをプレゼンテーションに使用するなど、婚礼情報を有効に活用することが可能になる。
【図面の簡単な説明】
【図１】本発明に係る情報閲覧システムの例を示すブロック図である。
【図２】（ａ）は式場業者情報の例を示す図であり、（ｂ）は新郎新婦情報の例を示す図である。
【図３】式場業者ページの例を示す図である。
【図４】新郎新婦ページの例を示す図である。
【図５】式場業者のウェブページの例を示す図である。
【図６】新郎新婦ページの表示手順の例を示すフローチャートである。
【図７】新郎新婦ページの表示手順の例を示すフローチャートである。
【図８】認証ページの例を示す図である。
【図９】式場業者ページの更新手順及び新郎新婦ページの登録及び更新・削除手順の例を示すフローチャートである。
【図１０】管理ページの例を示す図である。
【図１１】式場業者情報の更新ページの例を示す図である。
【図１２】新郎新婦情報の更新ページの例を示す図である。
【図１３】新郎新婦情報の作成ページ（パターン選択ページ）の例を示す図である。
【図１４】新郎新婦情報の作成ページの例を示す図である。
【図１５】従来の情報閲覧システムの例を示すブロック図である。
【符号の説明】
１０  端末装置（クライアント装置）
１４  通信ネットワーク
１６  式場業者端末（式場業者クライアント装置）
２０  サービスサーバ（送信サーバ）
２２  ＣＰＵ（式場情報取得手段、更新手段）
２６  ハードディスク
２８  通信装置（第１受付手段、第１送信手段）
３０  ＨＰサーバ（式場サーバ）
３２  ＣＰＵ（送信情報取得手段）
３６  ハードディスク
３８  通信装置（第２受付手段、第２送信手段）
【図１】
2004206313.tif 000003
【図２】
2004206313.tif 000004
【図３】
2004206313.tif 000005
【図４】
2004206313.tif 000006
【図５】
2004206313.tif 000007
【図６】
2004206313.tif 000008
【図７】
2004206313.tif 000009
【図８】
2004206313.tif 000010
【図９】
2004206313.tif 000011
【図１０】
2004206313.tif 000012
【図１１】
2004206313.tif 000013
【図１２】
2004206313.tif 000014
【図１３】
2004206313.tif 000015
【図１４】
2004206313.tif 000016
【図１５】
2004206313.tif 000017